(57)【要約】【目的】 携帯音楽プレーヤーで音楽を聴いたり、携帯電話をハンズフリーで使用する場合などに用いる各種のイヤホンやヘッドホンのライン部分に取付けるに適した新規なアクセサリーを提案する。【構成】 耳穴に挿入して使用するタイプのイヤホン２や頭部に装着して使用するタイプのヘッドホン３のライン部４に着脱できる構造５を有しており、装飾部材６と一体化されていることを特徴とするイヤホン・ヘッドホン用アクセサリー１である。【選択図】   図１
2007142538.tif 000002
【特許請求の範囲】
【請求項１】
耳穴に挿入して使用するタイプのイヤホンや頭部に装着して使用するタイプのヘッドホンのライン部に着脱できる構造を有しており、装飾部材と一体化されていることを特徴とするイヤホン・ヘッドホン用アクセサリー。
【請求項２】
イヤホンやヘッドホンのライン部への着脱構造が弾性素材に形成した細溝部にライン部を嵌めこむことで実現するようになっていることを特徴とする請求項１に記載のイヤホン・ヘッドホン用アクセサリー。
【請求項３】
装飾部材が着用者の身体の動きによって揺れ動くものであることを特徴とする請求項１又は請求項２に記載のイヤホン・ヘッドホン用アクセサリー。
【請求項４】
着脱構造部材に取付けられる装飾部材が任意に交換可能な構成となっていることを特徴とする請求項１〜請求項３の何れか１つに記載のイヤホン・ヘッドホン用アクセサリー。
【請求項５】
着脱構造部材及び装飾部材のサイズ及び重量がイヤホンやヘッドホンの装着関係を阻害しないように小型軽量なものとされていることを特徴とする請求項１〜請求項４の何れか１つに記載のイヤホン・ヘッドホン用アクセサリー。
【請求項６】
着脱構造部材や装飾部材に透明素材や光を反射する素材を用いることでアクセサリー効果を高めていることを特徴とする請求項１〜請求項５の何れか１つに記載のイヤホン・ヘッドホン用アクセサリー。
【請求項７】
着脱構造部材や装飾部材にキャラクター形状を採用していることを特徴とする請求項１〜請求項６の何れか１つに記載のイヤホン・ヘッドホン用アクセサリー。
【請求項８】
発光機構を備えることでよりアクセサリー性が高められていることを特徴とする請求項１〜請求項７の何れか1つに記載のイヤホン・ヘッドホン用アクセサリー。
【請求項９】
芳香材料を備えることでリラクゼーション効果を高めていることを特徴とする請求項１〜請求項８の何れか1つに記載のイヤホン・ヘッドホン用アクセサリー。
【請求項１０】
市販のイヤリングを着脱できる構造とされていることを特徴とする請求項１〜請求項９の何れか1つに記載のイヤホン・ヘッドホン用アクセサリー。
【発明の詳細な説明】
【技術分野】
【０００１】
本発明は、携帯音楽プレーヤーで音楽を聴いたり、携帯電話をハンズフリーで使用する場合などに用いる各種のイヤホンやヘッドホンのライン部分に取付けるに適した新規なアクセサリーを提案しようとするものである。
【背景技術】
【０００２】
屋外その他の好みの場所で音楽を聴くために携帯音楽プレーヤーを利用することは広く行われており、このような場合には周囲に騒音を漏らさずによりクリアな音質を得るためにイヤホンやヘッドホンを用いるのが普通である。
また、広く普及している携帯電話においても、ハンズフリー状態で通話等するためにはイヤホン等を利用するのが通常である。
【０００３】
装身具としてのアクセサリーには種々のものがあるが、耳に付けるものとしてイヤリングが一般的に使用されている。
【特許文献１】実用新案登録第３０６９１６２号公報
【発明の開示】
【発明が解決しようとする課題】
【０００４】
しかしながら、上記したような従来一般のイヤホンやヘッドホンにおいては、その外観デザインにおいて魅力を高めるべき工夫がされているにしても、個々の利用者の要求に応じた装飾アクセサリーとの結合などといった発想はまったくなされていなかった。
【０００５】
耳に付けるイヤリングにしても、音楽等聴取用のイヤホンやヘッドホンと一緒に使用するのは困難であり、携帯音楽プレーヤーを使用している間はこのような耳に装身具を装着することは差控えるのが通常であった。
上記特許文献のものは、アクセサリー形状の着信音受信装置であって本発明とはその趣旨が異なっている。
【課題を解決するための手段】
【０００６】
本発明は上記したような課題を解決するために実験と研究を重ねた結果創案されたものであり、イヤホンやヘッドホンのライン部分が一定の規格形状であることに着目し、この部分を利用して自由に着脱することができる新規なアクセサリーによって、イヤホンやヘッドホンを使用中であっても耳近傍に好みの装身具を用いることができるようにしたものであって、より具体的には以下の如くである。
【０００７】
（１）耳穴に挿入して使用するタイプのイヤホンや頭部に装着して使用するタイプのヘッドホンのライン部に着脱できる構造を有しており、装飾部材と一体化されていることを特徴とするイヤホン・ヘッドホン用アクセサリー。
【０００８】
（２）イヤホンやヘッドホンのライン部への着脱構造が弾性素材に形成した細溝部にライン部を嵌めこむことで実現するようになっていることを特徴とする前記（１）項に記載のイヤホン・ヘッドホン用アクセサリー。
【０００９】
（３）装飾部材が着用者の身体の動きによって揺れ動くものであることを特徴とする前記（１）項又は（２）項に記載のイヤホン・ヘッドホン用アクセサリー。
【００１０】
（４）着脱構造部材に取付けられる装飾部材が任意に交換可能な構成となっていることを特徴とする前記（１）項〜（３）項の何れか１つに記載のイヤホン・ヘッドホン用アクセサリー。
【００１１】
（５）着脱構造部材及び装飾部材のサイズ及び重量がイヤホンやヘッドホンの装着関係を阻害しないように小型軽量なものとされていることを特徴とする前記（１）項〜（４）項の何れか１つに記載のイヤホン・ヘッドホン用アクセサリー。
【００１２】
（６）着脱構造部材や装飾部材に透明素材や光を反射する素材を用いることでアクセサリー効果を高めていることを特徴とする前記（１）項〜（５）項の何れか１つに記載のイヤホン・ヘッドホン用アクセサリー。
【００１３】
（７）着脱構造部材や装飾部材にキャラクター形状を採用していることを特徴とする前記（１）項〜（６）項の何れか１つに記載のイヤホン・ヘッドホン用アクセサリー。
【００１４】
（８）発光機構を備えることでよりアクセサリー性が高められていることを特徴とする前記（１）項〜（８）項の何れか1つに記載のイヤホン・ヘッドホン用アクセサリー。
【００１５】
（９）芳香材料を備えることでリラクゼーション効果を高めていることを特徴とする前記（１）項〜（８）項の何れか1つに記載のイヤホン・ヘッドホン用アクセサリー。
【００１６】
（１０）市販のイヤリングを着脱できる構造とされていることを特徴とする前記（１）項〜（９）項の何れか1つに記載のイヤホン・ヘッドホン用アクセサリー。
【発明の効果】
【００１７】
耳穴に挿入して使用するタイプのイヤホンや頭部に装着して使用するタイプのヘッドホンのライン部に着脱できる構造を有しており、装飾部材と一体化されていることにより、イヤホンやヘッドホンを使用中であってもそのライン部分を利用して耳近傍に好みのアクセサリーを取付けて装身具とすることが可能となる。
【００１８】
イヤホンやヘッドホンのライン部への着脱構造が弾性素材に形成した細溝部にライン部を嵌めこむことで実現するようになっていることにより、弾性を利用した着脱構造となして本発明アクセサリーを簡単かつ確実に着脱することができるようになる。
【００１９】
装飾部材が着用者の身体の動きによって揺れ動くものであることにより、イヤホンやヘッドホンを介して音楽を聴取しながらダンスするような場合などに本発明アクセサリーが揺れ動き、より装飾性に優れたものとすることが可能となる。
【００２０】
着脱構造部材に取付けられる装飾部材が任意に交換可能な構成となっていることにより、同じ着脱構造を利用しながら好みのデザインの装飾部材を選択して交換しながら自由自在に用いることができるようになる。
【００２１】
着脱構造部材及び装飾部材のサイズ及び重量がイヤホンやヘッドホンの装着関係を阻害しないように小型軽量なものとされていることで、携帯音楽プレーヤーや携帯電話に接続して用いるイヤホンやヘッドホンの使い心地を阻害することなしで本発明アクセサリーを利用することができるようになる。
【００２２】
着脱構造部材や装飾部材に透明素材や光を反射する素材を用いることでアクセサリー効果を高めていることにより、多様なユーザーのニーズに応えることのできる製品展開が実現できるようになる。
【００２３】
着脱構造部材や装飾部材にキャラクター形状を採用していることにより、人気キャラクター形状などを利用して商品価値を高めることが可能となる。
【００２４】
発光機構を備えることでよりアクセサリー性が高められていることにより、夜間など周囲が暗い状況において一層引き立つ魅力的な製品を実現することが可能となる。
【００２５】
芳香材料を備えることでリラクゼーション効果を高めていることにより、香水的な意味合いを持たせたり気持ちを落着かせる効果を音楽聴取などと同時に得ることができるようになる。
【００２６】
市販のイヤリングを着脱できる構造とされていることにより、既に所有しているお気に入りのイヤリングや、イヤホン・ヘッドホンへの取付けを想定していない普通のイヤリングであっても本発明のアクセサリーとして応用可能なものとすることができるようになる。
【発明を実施するための最良の形態】
【００２７】
上記してきたような本発明品の具体的な実施形態の若干例を添付図面を利用しながら説明すると以下の如くである。
すなわち、図１は本発明のアクセサリー１を両耳着用タイプのイヤホン２に取付ける場合の１例を示したものである。
【００２８】
つまり、本発明のアクセサリー１はイヤホン２やヘッドホン３のライン部４に任意に着脱させるための着脱構造部５とそれに取付けられる装飾部材６との組合わせを基本としているものである。
【００２９】
ここでのライン部４は一定の規格により製作されたものであるから、その太さ等も規格に従ったものとされており、したがって、これに対して取付ける着脱構造部５も一定の規格品として製作することができるのである。特に、所定の弾性素材によって着脱構造部５を形成すれば、その弾性を利用することでライン部４の太さなどに若干の幅があるとしてもこれに追随して適切な取付け関係を実現することができる。
【００３０】
このように着脱構造部５は、一定の規格に従ったものとすれば殆んどのライン部４に自在に取付けることが可能なものとなる。一方、実質的なアクセサリー機能を果たす装飾部材６の取付け関係は本発明独自のものとして色々な形式が採用可能である。
【００３１】
装飾部材６は着脱構造部５と実質的に一体化されていてもよいが、図示のようにチェーン７のような接続部材８を介して連結されるものであっても構わない。このような接続部材８により連結されるようにしておくと、使用中に身体の振動などによって装飾部材６が揺れ動き、そのアクション変化によってよりアクセサリー性を高めることが可能となるものである。
【００３２】
また、このような接続部材８を利用する場合には、これを介して装飾部材６が任意に着脱して交換することができるように構成することも容易に実現できるものである。
【００３３】
さらに、本発明のアクセサリー１はその全体のサイズや重量を小型軽量なものと規制して、イヤホン２やヘッドホン３のライン部４に取付けて使用する場合にも邪魔になることが無いように配慮するのが望ましいものである。
【００３４】
装飾部材６に関しては、イヤホン２やヘッドホン３を実際に使用している際にユーザーの耳周辺を恰もイヤリングなどの装身具同様に飾ることを目的とするものであるから、そのアクセサリー性を向上するためにさらに様々な工夫を施すことが可能である。
例えば、透明プラスチック素材や鏡のような光を反射する素材を利用してキラキラと光り輝くような構成とすることで、より魅力ある製品とすることが可能である。
【００３５】
また、例えば小型軽量の電源手段と回路を利用してそれ自体が自在に光り輝くものとすることもでき、このようにすると暗い場所などであっても幻想的なイメージを膨らますことができる新しい製品とすることが可能である。
【００３６】
さらに、香水のような芳香性や癒し効果のある香りを生じるようにすることも可能である。本発明アクセサリー１は耳周辺に位置することになるので、ここから生じる良い香りはユーザーにとって好ましい効果を及ぼすことができる。
【００３７】
また、上記したような接続部材８は装飾部材６に適合するように様々な構成を採ることができる。したがって、一般に市販されているイヤリングなどの装身具をそのまま連結することができるようにすることも、単に設計上の問題に過ぎず、このような利用方法は本発明の利用範囲を拡大することになるものである。
【００３８】
図２は、本発明アクセサリー１の着脱構造部５についてその１例を示したものである。すなわち、弾性プラスチック素材などにより形成し、ライン部４を嵌めこみ式に収納する溝部９を設け、素材の弾性を利用して確実な取付け関係を実現するものである。また、装飾部材６はチェーン７などの接続部材８を用いて連結孔部１０を介して連結一体化されるようになっている。
【実施例】
【００３９】
具体的な装飾部材６の形状は図１に示すようなものばかりではなく、図３に示すようにキャラクターの立体形状を利用することも可能である。
また、実際にイヤホン２やヘッドホン３に装着する場合を説明すると、前記図１や図３に示すように、スピーカ１１周辺のライン部４を利用してはめ込み式に取付けることで、ユーザーの耳傍にイヤリングなどの装身具様のアクセサリーとして位置させることが可能なことが理解できる。
【００４０】
また、上記したような装飾部材６に対するアクセサリー性向上のためのさまざまな追加工夫は、それのみでなくそれらの適宜な組合わせとして実現することが望ましく、複合的な魅力に富んだ製品シリーズとすることが可能であると理解されるべきである。
【産業上の利用可能性】
【００４１】
以上説明してきたように、本発明のアクセサリーは従来考えられてこなかったイヤホンやヘッドホンのスピーカ近傍のライン部を利用してイヤリング的な装身具を新たな製品として実現することができ、魅力ある製品展開が可能なものである。
【００４２】
したがって、新たな製品需要を市場に喚起する可能性を秘めた提案として、その産業上の利用可能性において優れた発明であると理解されるものである。
【図面の簡単な説明】
【００４３】
【図１】本発明をイヤホンに応用する場合の１例を示した斜視図である。
【図２】本発明の着脱構造部の１例を示した説明図である。
【図３】本発明をへっどホンに応用する場合の１例を示した斜視図である。
【符号の説明】
【００４４】
１  本発明アクセサリー
２  イヤホン
３  ヘッドホン
４  ライン部
５  着脱構造部
６  装飾部材
７  チェーン
８  連結部材
９  溝部
１０  連結孔部
１１  スピーカ                                                           
【図１】
2007142538.tif 000003
【図２】
2007142538.tif 000004
【図３】
2007142538.tif 000005